(57)【要約】【課題】カメラの大型化を回避できるとともに、カメラを操作するスイッチ部の紛失や携帯忘れを回避することができ、さらに、ユーザに対して経済的負担を強いることのないレンズ鏡筒及びカメラシステムを提供する。【解決手段】交換レンズ１１に対して、交換レンズ１１又はカメラ１０を操作するための合焦選択スイッチ１８、手ブレ選択スイッチ１９、ブレ補正モード選択スイッチ２０、レンジリミッタスイッチ２１及びレリーズスイッチ３７を有するリモコンスイッチブロック２７を着脱可能とし、リモコンスイッチブロック２７が交換レンズ１１に装着されている場合には、メカスイッチブロック１４と同等の機能を有し、交換レンズ１１から取り外された場合には、送信部３８を介してカメラ１０に無線通信により指示信号を送信して、交換レンズ１１及びカメラ１０を操作する。【選択図】図２
2012237858.tif 000002
【特許請求の範囲】
【請求項１】
レンズ鏡筒の動作状態を操作するスイッチ部が、前記レンズ鏡筒から着脱可能であること、
を特徴とするレンズ鏡筒。
【請求項２】
請求項１に記載のレンズ鏡筒において、
前記スイッチ部が、前記レンズ鏡筒から取り外された状態で、前記レンズ鏡筒を操作可能なリモコン装置であること、
を特徴とするレンズ鏡筒。
【請求項３】
請求項２に記載のレンズ鏡筒において、
該レンズ鏡筒は、カメラに装着可能であり、
前記スイッチ部は、前記カメラの撮影動作を起動するレリーズスイッチを有すること、
を特徴とするレンズ鏡筒。
【請求項４】
請求項１〜３のいずれか１項に記載のレンズ鏡筒において、
前記スイッチ部は、前記レンズ鏡筒の合焦動作を自動で行うか、手動で行うかを選択可能な合焦選択スイッチと、手ブレが発生した場合に、手ブレを打ち消すように、前記レンズ鏡筒内に設けられた手ブレ補正レンズを駆動するかどうかを選択する手ブレ選択スイッチと、を備えること、
を特徴とするレンズ鏡筒。
【請求項５】
請求項１〜４のいずれか１項に記載のレンズ鏡筒において、
前記スイッチ部は、カメラとの間で通信可能であること、
を特徴とするレンズ鏡筒。
【請求項６】
請求項１〜５のいずれか１項に記載のレンズ鏡筒と、該レンズ鏡筒が着脱可能なカメラと、を備えるカメラシステムであって、
前記カメラには、表示部が設けられ、
該表示部は、前記レンズ鏡筒から前記スイッチ部が取り外されたときに、非装着状態を表示すること、
を特徴とするカメラシステム。
【請求項７】
請求項６に記載のカメラシステムにおいて、
前記スイッチ部は、前記カメラの電源からレンズマウントを介して充電されること、
を特徴とするカメラシステム。
【発明の詳細な説明】
【技術分野】
【０００１】
本発明は、レンズ鏡筒及びカメラシステムに関するものである。
【背景技術】
【０００２】
従来から、リモコン装置を用いて操作することのできるカメラが種々提案されている。
例えば、特許文献１は、カメラ本体に対して、レリーズ及びズーム操作部を取り外し可能に構成し、この操作部をカメラ本体から取り外した場合には、リモコン装置として機能するカメラを開示している。
【先行技術文献】
【特許文献】
【０００３】
【特許文献１】特開平７−２４４３２９号公報
【発明の概要】
【発明が解決しようとする課題】
【０００４】
しかしながら、特許文献１の場合、リモコン装置がカメラ本体に装着されるため、カメラ本体が大型化する問題がある。さらに、ユーザがリモコン装置を必要とするか否かに関わらず、リモコン装置が標準搭載されているため、ユーザに経済的負担を強いるものとなっている。
【０００５】
本発明の課題は、大型化を回避できるとともに、ユーザに対して経済的負担を強いることのないレンズ鏡筒及びカメラシステムを提供することである。
【課題を解決するための手段】
【０００６】
本発明は、以下のような解決手段により前記課題を解決する。なお、理解を容易にするため、本発明の実施形態に対応する符号を付して説明するが、これに限定されるものではない。
【０００７】
請求項１に記載の発明は、レンズ鏡筒（１１）の動作状態を操作するスイッチ部（１４、２７）が、前記レンズ鏡筒（１１）から着脱可能であること、を特徴とする。
請求項２に記載の発明は、前記スイッチ部（２７）が、前記レンズ鏡筒（１１）から取り外された状態で、前記レンズ鏡筒（１１）を操作可能なリモコン装置（２７）であること、を特徴とする。
請求項３に記載の発明は、該レンズ鏡筒（１１）は、カメラ（１０）に装着可能であり、
前記スイッチ部（２７）は、前記カメラ（１０）の撮影動作を起動するレリーズスイッチ（３７）を有すること、を特徴とする。
請求項４に記載の発明は、前記スイッチ部（１４、２７）は、前記レンズ鏡筒（１１）の合焦動作を自動で行うか、手動で行うかを選択可能な合焦選択スイッチ（１８）と、手ブレが発生した場合に、手ブレを打ち消すように、前記レンズ鏡筒（１１）内に設けられた手ブレ補正レンズを駆動するかどうかを選択する手ブレ選択スイッチ（１９）と、を備えること、を特徴とする。
請求項５に記載の発明は、前記スイッチ部（２７）は、カメラ（１０）との間で通信可能であること、を特徴とする。
請求項６に記載の発明は、請求項１〜５のいずれか１項に記載のレンズ鏡筒（１１）と、該レンズ鏡筒（１１）が着脱可能なカメラ（１０）と、を備えるカメラシステム（１２）であって、前記カメラ（１０）には、表示部（４１）が設けられ、該表示部（４１）は、前記レンズ鏡筒（１１）から前記スイッチ部（２７）が取り外されたときに、非装着状態を表示すること、を特徴とする。
請求項７に記載の発明は、前記スイッチ部（２７）は、前記カメラ（１０）の電源からレンズマウント（１３）を介して充電されること、を特徴とする。
なお、符号を付して説明した構成は、適宜改良してもよく、また、少なくとも一部を他の構成物に代替してもよい。
【発明の効果】
【０００８】
本発明によれば、大型化を回避できるとともに、ユーザに対して経済的負担を強いることのないレンズ鏡筒及びカメラシステムを提供することができる。
【図面の簡単な説明】
【０００９】
【図１】本発明の実施形態に係るメカスイッチブロックが交換レンズに装着されたカメラシステムの構成ブロック図である。
【図２】本発明の実施形態に係るリモコンスイッチブロックが交換レンズに装着されたカメラシステムの構成ブロック図である。
【図３】本発明の実施形態に係る交換レンズのレンズマイコンによる処理フローチャートである。
【図４】本発明の実施形態に係るカメラのカメラマイコンによる処理フローチャートである。
【図５】本発明の実施形態に係るリモコンスイッチブロックのリモコンマイコンによる処理フローチャートである。
【発明を実施するための形態】
【００１０】
以下、本発明の実施形態について図面を参照して説明する。
図１は、カメラ１０に対して交換レンズ（レンズ鏡筒）１１が装着されたカメラシステム１２の構成ブロック図である。交換レンズ１１は、レンズマウント１３を介して、カメラ１０との間で信号の送受信を行うとともに、電力の供給を受けるように構成される。
【００１１】
図１に示す交換レンズ１１は、交換レンズ１１の動作状態を操作するスイッチ部であるメカスイッチブロック１４が交換レンズ１１に着脱可能に装着されている。メカスイッチブロック１４は、交換レンズ１１に装着されることで、メカスイッチブロック１４側のコネクタ１６と、交換レンズ１１側のコネクタ１７とが接続され、交換レンズ１１との間で電気的な信号の送受信が可能となる。
【００１２】
メカスイッチブロック１４は、合焦選択スイッチ１８（ＡＦ／ＭＦ  ＳＷ）と、手ブレ選択スイッチ１９（ＶＲ  ＯＮ／ＯＦＦ  ＳＷ）と、ブレ補正モード選択スイッチ２０（ＶＲモード  ＳＷ）と、レンジリミッタスイッチ２１（レンジリミッタ  ＳＷ）とを備える。
【００１３】
合焦選択スイッチ１８（ＡＦ／ＭＦ  ＳＷ）は、交換レンズ１１の合焦動作を自動で行うか、手動で行うかを選択可能なスイッチである。
手ブレ選択スイッチ１９（ＶＲ  ＯＮ／ＯＦＦ  ＳＷ）は、交換レンズ１１内に設けられた手ブレ補正レンズ（図示せず）を駆動するかどうかを選択するスイッチである。
ブレ補正モード選択スイッチ２０（ＶＲモード  ＳＷ）は、手ブレ選択スイッチ１９により手ブレ補正レンズを駆動する場合、ブレ補正モードを選択するスイッチである。
レンジリミッタスイッチ２１（レンジリミッタ  ＳＷ）は、ズーム撮影を行う場合における距離環の移動範囲を選択するスイッチである。
【００１４】
合焦選択スイッチ１８、手ブレ選択スイッチ１９、ブレ補正モード選択スイッチ２０及びレンジリミッタスイッチ２１は、信号線２２〜２５を介して交換レンズ１１のレンズマイコン２６に接続される。
【００１５】
図２は、図１に示すメカスイッチブロック１４に代えて、交換レンズ１１の動作状態を操作するリモコン装置であるリモコンスイッチブロック２７を装着した状態を示す。リモコンスイッチブロック２７は、図１に示すメカスイッチブロック１４と形状が同じである。リモコンスイッチブロック２７は、カメラ１０との間で無線通信による信号の送受信を行うことにより、カメラ１０及び交換レンズ１１を操作可能である。
【００１６】
リモコンスイッチブロック２７は、メカスイッチブロック１４と同様に、合焦選択スイッチ１８、手ブレ選択スイッチ１９、ブレ補正モード選択スイッチ２０及びレンジリミッタスイッチ２１を備える。そして、リモコンスイッチブロック２７側のコネクタ２８と、交換レンズ１１側のコネクタ１７とが接続され、交換レンズ１１との間で電気的な信号の送受信が可能となる。
【００１７】
また、リモコンスイッチブロック２７は、リモコンスイッチブロック２７を制御するリモコンマイコン２９を有する。
リモコンマイコン２９は、合焦選択スイッチ１８、手ブレ選択スイッチ１９、ブレ補正モード選択スイッチ２０及びレンジリミッタスイッチ２１の操作状態に係る信号を処理する。
【００１８】
また、リモコンマイコン２９とレンズマイコン２６との間には、レンズマイコン２６に対して、リモコンスイッチブロック２７を識別するための固有のリモコン情報を送信するための信号線３０〜３２と、リモコンスイッチブロック２７が交換レンズ１１に装着されていることを示すリモコン装着判断信号を送信するための信号線３３とが接続される。
【００１９】
さらに、リモコンスイッチブロック２７は、電源線３４、３５を介してカメラ１０に接続され、カメラ１０側から供給される電力によって充電可能な２次電池３６と、カメラ１０のレリーズを操作するレリーズスイッチ３７と、リモコンスイッチブロック２７を操作することで生成される撮影の各種指示信号をカメラ１０に無線通信で送信する送信部３８とを有する。２次電池３６、レリーズスイッチ３７及び送信部３８は、リモコンマイコン２９に接続される。
【００２０】
カメラ１０は、カメラ１０を制御するカメラマイコン３９を有する。カメラマイコン３９には、リモコンスイッチブロック２７の送信部３８から送信された指示信号を受信するリモコン受信部４０と、交換レンズ１１、リモコンスイッチブロック２７及びカメラ１０間での信号の送受信に係る情報を表示するための表示部であるＬＥＤランプ４１とが接続される。
【００２１】
次に、図３〜図５のフローチャートに基づき、レンズマイコン２６、カメラマイコン３９及びリモコンマイコン２９による各処理について説明する。なお、図３は、レンズマイコン２６の処理、図４は、カメラマイコン３９の処理、図５は、リモコンマイコン２９の処理を示すフローチャートである。
【００２２】
（１）まず、交換レンズ１１にメカスイッチブロック１４が装着されている場合の動作について説明する（図１参照）。
【００２３】
図３のフローチャートに示すように、交換レンズ１１に内蔵されたレンズマイコン２６は、信号線３３を介してリモコン装着判断信号が有るか否かを判定する（ステップＳ１０１）。この場合、交換レンズ１１には、メカスイッチブロック１４が装着されているため、リモコン装着判断信号は出力されない（ステップＳ１０１：Ｎ）。従って、レンズマイコン２６は、ユーザによるメカスイッチブロック１４の操作に従って生成されるメカスイッチ信号を処理し、交換レンズ１１を駆動制御する（ステップＳ１０２）。
【００２４】
例えば、ユーザが合焦選択スイッチ１８を操作して自動焦点制御を選択した場合、レンズマイコン２６は、コネクタ１６、１７を介して信号線２２から受信した自動焦点制御選択信号に基づき、交換レンズ１１の自動焦点制御を行う。
【００２５】
また、ユーザが手ブレ選択スイッチ１９を操作して手ブレ補正制御を選択するとともに、ブレ補正モード選択スイッチ２０により所望のブレ補正モードが選択されると、レンズマイコン２６は、ブレ補正モードに従って手ブレ補正レンズを駆動し、手ブレ補正制御を行う。
【００２６】
さらに、ユーザがレンジリミッタスイッチ２１を操作して距離環の移動範囲が選択されると、レンズマイコン２６は、選択された移動範囲に従い、交換レンズ１１のズーム制御を行う。
【００２７】
一方、カメラ１０のカメラマイコン３９は、図４のフローチャートに示すように、交換レンズ１１からリモコン情報を受信したか否かを判定する（ステップＳ２０１）。この場合、交換レンズ１１には、メカスイッチブロック１４が装着されており、リモコン情報はカメラ１０に送信されない（ステップＳ２０１：Ｎ）。従って、カメラマイコン３９は、交換レンズ１１のメカスイッチブロック１４からレンズマイコン２６を介して送信されるメカスイッチ信号を処理し（ステップＳ２０２）、例えば、図示しない表示部に自動焦点制御が選択されたことを表示させる処理を行う。
【００２８】
（２）次に、交換レンズ１１からメカスイッチブロック１４を取り外し、リモコンスイッチブロック２７を装着した場合の動作について説明する（図２参照）。
【００２９】
図３のフローチャートに示すように、交換レンズ１１に内蔵されたレンズマイコン２６は、信号線３３を介してリモコン装着判断信号が有るか否かを判定する（ステップＳ１０１）。
交換レンズ１１には、リモコンスイッチブロック２７が装着されており、レンズマイコン２６は、リモコンスイッチブロック２７から信号線３３を介して送信されるリモコン装着判断信号を受信する（ステップＳ１０１：Ｙ）。
【００３０】
一方、リモコンマイコン２９は、リモコンスイッチブロック２７が交換レンズ１１に装着されると（ステップＳ３０１：Ｙ）、信号線３０〜３２を介して、当該リモコンスイッチブロック２７を他のリモコンスイッチブロックから識別するための固有のリモコン情報をレンズマイコン２６に送信する（ステップＳ３０２）。
【００３１】
なお、リモコンスイッチブロック２７の２次電池３６は、電源線３４、３５を介してカメラ１０から供給される電力により充電される。また、リモコンスイッチブロック２７が有するレリーズスイッチ３７は、リモコンスイッチブロック２７が交換レンズ１１に装着されると、カメラ１０側のレリーズスイッチを優先するため、操作無効の状態とされる。
【００３２】
レンズマイコン２６は、リモコンマイコン２９から信号線３０〜３２を介して当該リモコンスイッチブロック２７の固有のリモコン情報を取得すると（ステップＳ１０３）、このリモコン情報を、レンズマウント１３を介してカメラ１０に送信する（ステップＳ１０４）。
【００３３】
カメラマイコン３９は、交換レンズ１１を介してリモコン情報を受信すると（ステップＳ２０１：Ｙ）、交換レンズ１１に装着されているリモコンスイッチブロック２７を他のリモコンスイッチブロックから識別するため、リモコン情報の更新処理を行う（ステップＳ２０３）。
【００３４】
更新処理は、リモコンスイッチブロック２７が交換レンズ１１に装着される毎に行われる。この更新処理は、例えば、交換レンズ１１に装着されているリモコンスイッチブロック２７と異なる他のリモコンスイッチブロックがカメラ１０の近傍に存在する場合、当該リモコンスイッチブロック２７からの指示信号のみを受け付け、他のリモコンスイッチブロックからの信号を受け付けないようにするため、更新されたリモコン情報を有するリモコンスイッチブロック２７からの指示信号のみを受け付けるようにするための処理である。この更新処理により、他のリモコンスイッチブロックから送信された指示信号によってカメラ１０が誤動作する事態を回避することができる。
【００３５】
なお、リモコン情報の更新処理を行う間、カメラマイコン３９は、例えば、ＬＥＤランプ４１を数秒間点灯させる処理を行う。これにより、ユーザは、リモコン情報の更新処理が行われていることを認識することができる。また、リモコン情報が正常に更新できない場合には、ＬＥＤランプ４１を点灯させない。
【００３６】
次に、カメラマイコン３９は、交換レンズ１１に装着されているリモコンスイッチブロック２７のリモコン情報の更新処理を行った後（ステップＳ２０３）、カメラ１０がリモコン受信部４０を有している場合、レンズマウント１３を介して、当該カメラ１０がリモコン受信部４０を有していることを知らせるためのリモコン受信部情報をレンズマイコン２６に送信する（ステップＳ２０４）。
【００３７】
レンズマイコン２６は、カメラマイコン３９からリモコン受信部情報を取得すると（ステップＳ１０５：Ｙ）、接続されているカメラ１０がリモコン受信部４０を有したカメラ１０であると判定する（ステップＳ１０６）。
【００３８】
なお、カメラマイコン３９からリモコン受信部情報を取得できない場合には（ステップＳ１０５：Ｎ）、リモコンスイッチブロック２７と無線通信できないカメラ１０であるため、交換レンズ１１にメカスイッチブロック１４が装着されている場合と同様に、ユーザによるリモコンスイッチブロック２７の操作に従って生成されるメカスイッチ信号を処理し、交換レンズ１１を駆動制御する（ステップＳ１０２）。
【００３９】
リモコン受信部４０を有したカメラ１０であると判定された場合において（ステップＳ１０６）、リモコンスイッチブロック２７が交換レンズ１１に装着されている場合、リモコンマイコン２９から信号線３３を介してリモコン装着判断信号がレンズマイコン２６に送信されるため（ステップＳ１０７：Ｙ）、交換レンズ１１にメカスイッチブロック１４が装着されている場合と同様に、ユーザがリモコンスイッチブロック２７を操作すると、レンズマイコン２６は、その操作に従って生成されるメカスイッチ信号を処理し、交換レンズ１１を駆動制御する（ステップＳ１０２）。
【００４０】
また、カメラマイコン３９は、レンズマイコン２６からリモコン装着判断信号を受信すると（ステップＳ２０５：Ｙ）、交換レンズ１１から送信されるメカスイッチ信号を処理し（ステップＳ２０２）、ユーザによるリモコンスイッチブロック２７を用いた操作内容を図示しない表示部に表示する処理を行う。なお、カメラマイコン３９は、リモコンスイッチブロック２７が交換レンズ１１に装着されている間、ＬＥＤランプ４１を消灯させた状態とする。
【００４１】
（３）次に、リモコン受信部４０を有するカメラ１０のカメラマイコン３９が、リモコンスイッチブロック２７のリモコン情報を受信し、リモコン情報の更新処理を行った後、交換レンズ１１からリモコンスイッチブロック２７が取り外され、リモコンスイッチブロック２７による操作を行う場合について説明する。
【００４２】
この場合、リモコンスイッチブロック２７が交換レンズ１１から取り外されると、レンズマイコン２６は、信号線３３からリモコン装着判断信号を受信できないため（ステップＳ１０７：Ｎ）、リモコンスイッチブロック２７が交換レンズ１１から取り外され、リモコンスイッチブロック２７を用いた無線通信による操作が行われるものと判断する。
【００４３】
また、カメラマイコン３９は、レンズマイコン２６からリモコン装着判断信号を受信できないため（ステップＳ２０５：Ｎ）、リモコンスイッチブロック２７を用いた無線通信による操作が行われるものと判断し、カメラ１０をリモコンモードに切り替える（ステップＳ２０６）。なお、カメラマイコン３９は、カメラ１０がリモコンモードに切り替えられたとき、ＬＥＤランプ４１を点滅させることにより、リモコンスイッチブロック２７が交換レンズ１１から取り外されて非装着状態となり、リモコンモードに切り替わったことをユーザに報知する。
【００４４】
リモコンスイッチブロック２７が交換レンズ１１から取り外され（ステップＳ３０３：Ｙ）、ユーザがリモコンスイッチブロック２７の合焦選択スイッチ１８、手ブレ選択スイッチ１９、ブレ補正モード選択スイッチ２０又はレンジリミッタスイッチ２１を操作すると、リモコンマイコン２９は、当該リモコンスイッチブロック２７の固有のリモコン情報とともに、その操作に応じた指示信号を送信部３８からカメラ１０のリモコン受信部４０に送信する（ステップＳ３０４）。なお、リモコンスイッチブロック２７のレリーズスイッチ３７は、リモコンスイッチブロック２７が交換レンズ１１から取り外されると、レリーズの機能が有効となる。
【００４５】
カメラマイコン３９は、リモコンスイッチブロック２７からリモコン情報を含む指示信号をリモコン受信部４０により受信すると（ステップＳ２０７：Ｙ）、更新されたリモコン情報と照合し、リモコン情報が一致する場合（ステップＳ２０８：Ｙ）、指示信号の内容に応じた制御を行う（ステップＳ２０９）。例えば、レリーズスイッチ３７からの指示信号を除き、ＬＥＤランプ４１を数秒間点灯させ、指示信号を受け付けたことをユーザに報知する。また、レリーズスイッチ３７からレリーズ半押しの指示信号を受信すると、ＬＥＤランプ４１を点灯させ、レリーズ後、ＬＥＤランプ４１を点滅状態とする。レリーズ半押しが認識されなかった場合には、ＬＥＤランプ４１を点灯させず、点滅状態のままとし、レリーズが受け付けられていないことをユーザに報知する。また、カメラマイコン３９は、リモコンスイッチブロック２７からの指示信号に応じた制御信号をレンズマイコン２６に送信する。レンズマイコン２６は、カメラマイコン３９からの指示信号に基づき、交換レンズ１１の制御を行う（ステップＳ１０８）。
【００４６】
以上、本実施形態によると、以下の効果を有する。
（１）交換レンズ１１にメカスイッチブロック１４が装着されている場合、ユーザは、メカスイッチブロック１４の合焦選択スイッチ１８、手ブレ選択スイッチ１９、ブレ補正モード選択スイッチ２０、又は、レンジリミッタスイッチ２１を操作することにより、交換レンズ１１の動作状態を設定することができる。この場合、メカスイッチブロック１４は、交換レンズ１１を直接操作するためのスイッチ機能のみを備えているため、極めて廉価であり、交換レンズ１１を購入する際の初期投資として、ユーザに対する負担を少なくすることができる。
【００４７】
（２）メカスイッチブロック１４は、交換レンズ１１に対して着脱可能に構成されているため、ユーザは、メカスイッチブロック１４を交換レンズ１１から取り外し、その部分に、別途購入したリモコンスイッチブロック２７を装着して使用することができる。この場合、リモコンスイッチブロック２７を交換レンズ１１に装着した状態では、メカスイッチブロック１４と同じ機能をリモコンスイッチブロック２７により実行することができる。
【００４８】
（３）リモコンスイッチブロック２７を交換レンズ１１から取り外して使用する場合には、メカスイッチブロック１４と同じ機能を実行できるのに加え、カメラ１０とリモコンスイッチブロック２７との間で無線通信による操作指示を実行することができる。従って、例えば、ユーザは、リモコンスイッチブロック２７を操作し、交換レンズ１１の動作状態の操作や、レリーズスイッチ３７による撮影処理を行うことができる。この場合、ユーザは、カメラ１０に触れることなく、カメラ１０や交換レンズ１１を操作できるため、手ブレの心配がなく、また、カメラ１０の所持者を被写体として含む写真撮影等も自由に行うことができる。
【００４９】
（４）リモコンスイッチブロック２７は、リモコン装置として使用しない場合には、交換レンズ１１にそのまま装着させておくことができるため、リモコンスイッチブロック２７を紛失したり、携帯を忘れるような事態を回避することができる。さらに、リモコンスイッチブロック２７は、交換レンズ１１に装着されるものであるため、カメラ１０が大型化してしまうことはない。
【００５０】
（５）リモコンスイッチブロック２７の場合、例えば、リモコン装置を用いた無線通信による同じ機能を有する複数のカメラ１０が近傍にあると、他のカメラに接続されているリモコンスイッチブロックからの指示信号をカメラ１０が受信して誤動作することが懸念される。しかしながら、カメラマイコン３９は、交換レンズ１１に装着されたリモコンスイッチブロック２７から固有のリモコン情報を受信して更新し、更新されたリモコン情報に係る指示信号のみを取得して、交換レンズ１１及びカメラ１０を制御するため、他のカメラに接続されているリモコンスイッチブロックからの指示信号によって誤作動してしまうおそれはない。
【００５１】
（６）ユーザは、廉価なメカスイッチブロック１４を使用するか、機能を重視し、メカスイッチブロック１４よりも高額となるリモコンスイッチブロック２７を別途購入して使用するかを任意に選択することができる。
【００５２】
以上、説明した実施形態に限定されることなく、以下に示すような種々の変形や変更が可能であり、それらも本発明の範囲内である。
【００５３】
（１）例えば、交換レンズ１１は、カメラ１０に対して着脱可能なものとして説明したが、交換レンズ１１に限定されるものではなく、特定のレンズが予め固定されているカメラ１０においても同様にして適用することができる。
【００５４】
（２）リモコンスイッチブロック２７からレンズマイコン２６を介してカメラマイコン３９に送信されるリモコン情報は、リモコンスイッチブロック２７毎に予め決められた固定の情報であってもよく、あるいは、リモコンスイッチブロック２７を交換レンズ１１に対して着脱する毎に、異なるリモコン情報を生成してカメラマイコン３９に送信するものであってもよい。
【００５５】
（３）メカスイッチブロック１４及びリモコンスイッチブロック２７には、上述した合焦選択スイッチ１８、手ブレ選択スイッチ１９、ブレ補正モード選択スイッチ２０、レンジリミッタスイッチ２１の機能に加えて、露出選択スイッチ、絞り選択スイッチ、シャッタ速度選択スイッチ等、交換レンズ１１又はカメラ１０に備わる種々の機能を実行するスイッチを搭載することができる。
【００５６】
なお、実施形態及び変形形態は、適宜組み合わせて用いることもできるが、詳細な説明は省略する。また、本発明は、以上説明した実施形態によって限定されることはない。
【符号の説明】
【００５７】
１０：カメラ、１１：交換レンズ、１２：カメラシステム、１３：レンズマウント、１４：メカスイッチブロック、１６，１７，２８：コネクタ、１８：合焦選択スイッチ、１９：手ブレ選択スイッチ、２０：ブレ補正モード選択スイッチ、２１：レンジリミッタスイッチ、２２〜２５，３０〜３２，３３：信号線、２６：レンズマイコン、２７：リモコンスイッチブロック、２９：リモコンマイコン、３４，３５：電源線、３６：２次電池、３７：レリーズスイッチ、３８：送信部、３９：カメラマイコン、４０：リモコン受信部、４１：ＬＥＤランプ
【図１】
2012237858.tif 000003
【図２】
2012237858.tif 000004
【図３】
2012237858.tif 000005
【図４】
2012237858.tif 000006
【図５】
2012237858.tif 000007